(57)【要約】【課題】操作性を向上させる。【解決手段】収容部１３および蓋部１４を有する容器本体１１と、容器本体１１に、径方向に移動可能に外嵌され、３つ以上の第１磁石部２３が配置された操作枠体１２と、を備え、収容部１３および蓋部１４のうち、一方には操作枠体１２が外嵌され、他方には３つ以上の第２磁石部２５が配設され、第１磁石部２３の表面には、第２磁石部２５の表面と同極の同極部分２９と、第２磁石部２５の表面とは異極の異極部分３０と、が径方向に並んで配設され、操作枠体１２は、保持位置と解除位置との間を径方向に移動させられ、保持位置に位置する操作枠体１２は、３つ以上の第１磁石部２３それぞれの異極部分３０を第２磁石部２５に対向させ、解除位置に位置する操作枠体１２は、２つの第１磁石部２３の異極部分３０を第２磁石部２５に対向させ、これらの両第１磁石部２３以外の第１磁石部２３の同極部分２９を第２磁石部２５に対向させる。【選択図】図３
2014212883.tif 000002
【特許請求の範囲】
【請求項１】
内容物が収容される収容部および前記収容部を開閉する蓋部を有する容器本体と、
前記容器本体に、径方向に移動可能に外嵌されるとともに、３つ以上の第１磁石部が、周方向に間隔をあけて配置された操作枠体と、を備え、
前記収容部および前記蓋部のうち、いずれか一方には前記操作枠体が外嵌され、いずれか他方には、３つ以上の第２磁石部が、前記３つ以上の第１磁石部それぞれに容器軸方向に対向するように周方向に間隔をあけて配設され、
前記第１磁石部において前記第２磁石部側を向く表面には、前記第２磁石部において前記第１磁石部側を向く表面と同極の同極部分と、前記第２磁石部の表面とは異極の異極部分と、が径方向に並んで配設され、
前記操作枠体は、前記蓋部を閉止姿勢に保持する保持位置と、その保持を解除する解除位置と、の間を径方向に移動させられ、
前記保持位置に位置する前記操作枠体は、容器軸と同軸に配置されるとともに、前記３つ以上の第１磁石部それぞれの前記異極部分を前記第２磁石部に対向させ、
前記解除位置に位置する前記操作枠体は、前記保持位置から径方向に、周方向に隣り合う一対の前記第１磁石部側に向けて移動させられているとともに、これらの両第１磁石部の前記異極部分を前記第２磁石部に対向させ、前記両第１磁石部以外の前記第１磁石部の前記同極部分を前記第２磁石部に対向させることを特徴とするコンパクト容器。
【請求項２】
請求項１記載のコンパクト容器であって、
前記操作枠体は、前記容器本体に、容器軸に直交するとともに互いに直交し合う第１方向および第２方向の両方向に移動可能に外嵌され、
前記第１磁石部は、前記第１方向に延在する一対の第１辺部および前記第２方向に延在する一対の第２辺部により形成された矩形状における４つの角部分を構成するように、周方向に間隔をあけて４つ配設され、
前記解除位置に位置する前記操作枠体は、前記保持位置から前記第１方向または前記第２方向に、周方向に隣り合う一対の前記第１磁石部側に向けて移動させられていることを特徴とするコンパクト容器。
【請求項３】
請求項２記載のコンパクト容器であって、
前記操作枠体は、前記容器本体のうちの前記収容部に外嵌され、
前記第２磁石部は、前記蓋部から、容器軸方向に沿う収容部側である下側に向けて突出し、
前記第２磁石部の表面は、前記第１磁石部の表面に当接するとともに、下側に向けて凸となる凸球面状に形成されていることを特徴とするコンパクト容器。
【請求項４】
請求項３記載のコンパクト容器であって、
前記第１磁石部の表面には、前記第２磁石部が配置された配置凹部が設けられ、
前記配置凹部の壁面には、前記第１方向の内側を向く第１外側壁面と、前記第２方向の内側を向く第２外側壁面と、が備えられ、
前記操作枠体が前記保持位置に位置する状態で、前記第１外側壁面は、前記第２磁石部に前記第１方向の外側から対向するとともに、前記第２外側壁面は、前記第２磁石部に前記第２方向の外側から対向し、
前記第１外側壁面および前記第２外側壁面はそれぞれ、下側に向けて凹となる凹曲面状に形成されていることを特徴とするコンパクト容器。
【請求項５】
請求項４記載のコンパクト容器であって、
前記配置凹部の壁面には、前記第１方向の外側を向く第１内側壁面と、前記第２方向の外側を向く第２内側壁面と、が備えられ、
前記操作枠体が前記保持位置に位置する状態で、前記第１内側壁面は、前記第２磁石部に前記第１方向の内側から対向するとともに、前記第２内側壁面は、前記第２磁石部に前記第２方向の内側から対向することを特徴とするコンパクト容器。
【発明の詳細な説明】
【技術分野】
【０００１】
本発明は、コンパクト容器に関する。
【背景技術】
【０００２】
従来から、例えば下記特許文献１に示されるようなコンパクト容器が知られている。このコンパクト容器は、ケース本体と、ケース本体に軸を介して軸回りに回動可能に装着された蓋体と、を備えている。
【先行技術文献】
【特許文献】
【０００３】
【特許文献１】特開２０１２−１１５４５９号公報
【発明の概要】
【発明が解決しようとする課題】
【０００４】
しかしながら、前記従来のコンパクト容器では、操作性に改善の余地がある。
【０００５】
本発明は、前述した事情に鑑みてなされたものであって、操作性を向上させることができるコンパクト容器を提供することを目的とする。
【課題を解決するための手段】
【０００６】
前記課題を解決するために、本発明は以下の手段を提案している。
本発明に係るコンパクト容器は、内容物が収容される収容部および前記収容部を開閉する蓋部を有する容器本体と、前記容器本体に、径方向に移動可能に外嵌されるとともに、３つ以上の第１磁石部が、周方向に間隔をあけて配置された操作枠体と、を備え、前記収容部および前記蓋部のうち、いずれか一方には前記操作枠体が外嵌され、いずれか他方には、３つ以上の第２磁石部が、前記３つ以上の第１磁石部それぞれに容器軸方向に対向するように周方向に間隔をあけて配設され、前記第１磁石部において前記第２磁石部側を向く表面には、前記第２磁石部において前記第１磁石部側を向く表面と同極の同極部分と、前記第２磁石部の表面とは異極の異極部分と、が径方向に並んで配設され、前記操作枠体は、前記蓋部を閉止姿勢に保持する保持位置と、その保持を解除する解除位置と、の間を径方向に移動させられ、前記保持位置に位置する前記操作枠体は、容器軸と同軸に配置されるとともに、前記３つ以上の第１磁石部それぞれの前記異極部分を前記第２磁石部に対向させ、前記解除位置に位置する前記操作枠体は、前記保持位置から径方向に、周方向に隣り合う一対の前記第１磁石部側に向けて移動させられているとともに、これらの両第１磁石部の前記異極部分を前記第２磁石部に対向させ、前記両第１磁石部以外の前記第１磁石部の前記同極部分を前記第２磁石部に対向させることを特徴とする。
【０００７】
この発明では、操作枠体が保持位置に位置するときには、３つ以上の第１磁石部それぞれの異極部分が第２磁石部に対向していることから、全ての第１磁石部を第２磁石部に磁着させ、蓋部を閉止姿勢に安定して保持することができる。
蓋部を開けて収容部を開放するときには、操作枠体を径方向に、周方向に隣り合う一対の第１磁石部側に向けて移動させ、保持位置から解除位置に移動させる。このとき、３つ以上の第１磁石部のうち、径方向に沿った移動側に位置する両第１磁石部の異極部分が第２磁石部に対向し、これらの両第１磁石部以外の第１磁石部の同極部分が第２磁石部に対向することから、前記両第１磁石部を第２磁石部に磁着させつつ、前記両第１磁石部以外の第１磁石部を第２磁石部に対して反発させることができる。したがって、蓋部のうち、径方向に沿った反移動側に位置する部分を、容器軸方向に沿った収容部に対する蓋部側である上側に向けて移動させることで、蓋部を、前記両第１磁石部を中心として回動軸回りに回動させ、収容部を開放することができる。
以上より、このコンパクト容器によれば、蓋部の回動の中心となる一対の第１磁石部を適宜選択し、これらの両第１磁石部側に向けて操作枠体を保持位置から解除位置に移動させることで、蓋部を多様な方向に開閉することが可能になり、操作性を向上させることができる。
【０００８】
また、前記操作枠体は、前記容器本体に、容器軸に直交するとともに互いに直交し合う第１方向および第２方向の両方向に移動可能に外嵌され、前記第１磁石部は、前記第１方向に延在する一対の第１辺部および前記第２方向に延在する一対の第２辺部により形成された矩形状における４つの角部分を構成するように、周方向に間隔をあけて４つ配設され、前記解除位置に位置する前記操作枠体は、前記保持位置から前記第１方向または前記第２方向に、周方向に隣り合う一対の前記第１磁石部側に向けて移動させられていてもよい。
【０００９】
この場合、操作枠体を保持位置から解除位置に移動させるときには、操作本体を第１方向または第２方向に移動させる。
操作枠体を第１方向に移動させると、第１方向のどちら側に移動させた場合であっても、第１方向に沿った移動側に位置する２つの第１磁石部の異極部分が第２磁石部に対向して第１磁石部と第２磁石部とが磁着し合い、反移動側に位置する２つの第１磁石部の同極部分が第２磁石部に対向して第１磁石部と第２磁石部とが反発し合う。したがって、蓋部のうち、反移動側に位置する部分を上側に向けて移動させることで、蓋部を、移動側の両第１磁石部を中心とし、第２方向に延在する回動軸回りに回動させることができる。これにより、操作枠体を移動させる第１方向の向きを適宜変更することで、蓋部を第１方向の両側から開けることができる。
また、操作枠体を第２方向に移動させると、第２方向のどちら側に移動させた場合であっても、第２方向に沿った移動側に位置する２つの第１磁石部の異極部分が第２磁石部に対向して第１磁石部と第２磁石部とが磁着し合い、反移動側に位置する２つの第１磁石部の同極部分が第２磁石部に対向して第１磁石部と第２磁石部とが反発し合う。したがって、操作枠体を第１方向に移動させたときと同様に、蓋部のうち、反移動側に位置する部分を上側に向けて移動させることで、蓋部を、移動側の両第１磁石部を中心とし、第１方向に延在する回動軸回りに回動させることができる。これにより、操作枠体を移動させる第２方向の向きを適宜変更することで、蓋部を第２方向の両側からも開けることができる。
以上より、このコンパクト容器によれば、操作枠体を、容器本体に、第１方向および第２方向の両方向に移動可能に外嵌することで、蓋部を、単に第１方向の片側や第２方向の片側のみから開閉可能にするのではなく、第１方向の両側および第２方向の両側から開閉可能にすることができるので、蓋部を多様な方向に開閉させつつ、このコンパクト容器の構造が複雑になるのを抑えることができる。
【００１０】
また、前記操作枠体は、前記容器本体のうちの前記収容部に外嵌され、前記第２磁石部は、前記蓋部から、容器軸方向に沿う収容部側である下側に向けて突出し、前記第２磁石部の表面は、前記第１磁石部の表面に当接するとともに、下側に向けて凸となる凸球面状に形成されていてもよい。
【００１１】
この場合、蓋部を第１方向から開けるため、操作枠体を保持位置から解除位置に向けて第１方向に移動させて蓋部を回動軸回りに回動させるときに、第１方向の移動側に位置する両第１磁石部上の各第２磁石部を、この第２磁石部の表面を第１磁石部の表面に当接させながら第１磁石部上で第１方向の移動側に向けて倒れ込ませることで、蓋部を回動軸回りに円滑に回動させることができる。
また、蓋部を第２方向から開けるため、操作枠体を保持位置から解除位置に向けて第２方向に移動させて蓋部を回動軸回りに回動させるときも同様に、第２方向の移動側に位置する両第１磁石部上の各第２磁石部を、この第２磁石部の表面を第１磁石部の表面に当接させながら第１磁石部上で第２方向の移動側に向けて倒れ込ませることで、蓋部を回動軸回りに円滑に回動させることができる。
以上より、このコンパクト容器によれば、第２磁石部の表面が、下側に向けて凸となる凸球面状に形成されていることで、蓋部を第１方向および第２方向のいずれの方向から開けるときにも、蓋部を回動軸回りに円滑に回動させることが可能になり、操作性をより向上させることができる。
【００１２】
また、前記第１磁石部の表面には、前記第２磁石部が配置された配置凹部が設けられ、前記配置凹部の壁面には、前記第１方向の内側を向く第１外側壁面と、前記第２方向の内側を向く第２外側壁面と、が備えられ、前記操作枠体が前記保持位置に位置する状態で、前記第１外側壁面は、前記第２磁石部に前記第１方向の外側から対向するとともに、前記第２外側壁面は、前記第２磁石部に前記第２方向の外側から対向し、前記第１外側壁面および前記第２外側壁面はそれぞれ、下側に向けて凹となる凹曲面状に形成されていてもよい。
【００１３】
この場合、蓋部を第１方向から開けるため、第２磁石部を第１磁石部上で第１方向に倒れ込ませるときに、第２磁石部の表面が呈する凸球面状が、配置凹部の第１外側壁面が呈する凹曲面状に沿うように第２磁石部を倒れ込ませることができる。これにより、第２磁石部が第１外側壁面により支持されて、蓋部を開放姿勢に安定して保持することができる。
また、蓋部を第２方向から開けるため、第２磁石部を第１磁石部上で第２方向に倒れ込ませるときに、第２磁石部の表面が呈する凸球面状が、配置凹部の第２外側壁面が呈する凹曲面状に沿うように第２磁石部を倒れ込ませることができる。これにより、第２磁石部が第２外側壁面により支持されて、蓋部を開放姿勢に安定して保持することができる。
以上より、このコンパクト容器によれば、第１外側壁面および第２外側壁面がそれぞれ、下側に向けて凹となる凹曲面状に形成されていることで、蓋部を第１方向および第２方向のいずれの方向から開けるときにも、蓋部を開放姿勢に安定して保持することが可能になり、操作性をより一層向上させることができる。
【００１４】
また、前記配置凹部の壁面には、前記第１方向の外側を向く第１内側壁面と、前記第２方向の外側を向く第２内側壁面と、が備えられ、前記操作枠体が前記保持位置に位置する状態で、前記第１内側壁面は、前記第２磁石部に前記第１方向の内側から対向するとともに、前記第２内側壁面は、前記第２磁石部に前記第２方向の内側から対向してもよい。
【００１５】
この場合、配置凹部の壁面に、第１内側壁面および第２内側壁面が備えられているので、蓋部を第１方向および第２方向のうちのいずれの方向から開ける場合であっても、第２磁石部が配置凹部から第１方向の内側に抜け出ることを第１内側壁面により規制するとともに、第２磁石部が配置凹部から第２方向の内側に抜け出ることを第２内側壁面により規制することができる。したがって、例えば、蓋部を開けるために第２磁石部を倒れ込ませるときに、第２磁石部が配置凹部から抜け出ることを規制して、この第２磁石部を配置凹部内に留めておくことが可能になり、蓋部を回動軸回りに円滑に回動させること等ができる。
【発明の効果】
【００１６】
本発明に係るコンパクト容器によれば、操作性を向上させることができる。
【図面の簡単な説明】
【００１７】
【図１】本発明の一実施形態に係るコンパクト容器であって、蓋部を取り外した状態のコンパクト容器の平面図である。
【図２】図１に示すＡ−Ａ断面矢視図である。
【図３】図１に示すＢ−Ｂ断面矢視図である。
【図４】図１に示すＣ−Ｃ断面矢視図である。
【図５】図１に示すコンパクト容器の要部の拡大断面図である。
【図６】図１に示すコンパクト容器の作用を説明する断面図である。
【図７】図１に示すコンパクト容器の作用を説明する断面図である。
【発明を実施するための形態】
【００１８】
以下、図１から図７を参照し、本発明の一実施形態に係るコンパクト容器を説明する。コンパクト容器１０は、例えば化粧料などの内容物を収容する携帯用の蓋付容器であり、平面視角型形状、図示の例では平面視矩形状の扁平容器である。
図１および図２に示すように、コンパクト容器１０は、容器本体１１と、容器本体１１に、径方向に移動可能に外嵌された操作枠体１２と、を備えている。
【００１９】
容器本体１１は、平面視矩形状に形成されている。以下、平面視において容器本体１１の中心を通る容器本体１１の軸線を容器軸Ｏといい、容器軸Ｏに直交する方向を径方向といい、容器軸Ｏ回りに周回する方向を周方向という。容器本体１１は、容器軸Ｏに直交するとともに互いに直交し合う第１方向Ｄ１および第２方向Ｄ２の両方向に延在する平面視矩形状に形成されている。容器本体１１の外周縁部は、第１方向Ｄ１に延在する一対の第１縁部と、第２方向Ｄ２に延在する一対の第２縁部と、が互いに連結されてなる矩形状をなす。
【００２０】
容器本体１１は、内容物が収容される収容部１３と、収容部１３上に配置され収容部１３を開閉する蓋部１４と、を備えている。収容部１３および蓋部１４は、このコンパクト容器１０の平面視において、互いに同形同大の矩形状に形成されている。
【００２１】
収容部１３は、例えばアクリロニトリル−ブタジエン−スチレン共重合体樹脂（ＡＢＳ樹脂）などの合成樹脂材料、磁石に磁着しない非磁性の材料で形成されている。収容部１３は、扁平な矩形箱状に形成されている。収容部１３は、容器軸Ｏ方向を向く板状の底壁部１５と、底壁部１５の外周縁部に立設された環状の周壁部１６と、を備えている。
【００２２】
底壁部１５は、平面視矩形状に形成されている。周壁部１６は、底壁部１５の外周縁部のうち、辺部分１５ａでは直線状に延在し、角部分１５ｂでは径方向の内側に向けて窪む平面視十二角形状に形成されている。周壁部１６のうち、前記角部分１５ｂに配設された窪み部分１６ａは、径方向の内側に向けて窪んでいる。
【００２３】
窪み部分１６ａの外周面は、径方向の内側に向けて凹となる凹曲面状に形成されている。窪み部分１６ａの外周面は、前記角部分１５ｂ上に角空間Ｓ１を画成している。角空間Ｓ１は、第１方向Ｄ１の外側および第２方向Ｄ２の外側それぞれに向けて開口している。
周壁部１６の外周面には、周溝１６ｂが形成されている。周溝１６ｂは、周壁部１６の全周にわたって延在している。周溝１６ｂは、周壁部１６のうち、前記窪み部分１６ａの一部を除いた部分において、周壁部１６の内周面に開口している。
【００２４】
収容部１３内には、中皿１７が配置されている。中皿１７には、上側に向けて開口する収容空間Ｓ２が形成されている。収容空間Ｓ２には、例えば内容物や、内容物を被塗布部に塗布する塗布具などが収容される。収容空間Ｓ２は、周方向に間隔をあけて複数、図示の例では４つ配置されている。収容空間Ｓ２は、平面視において、底辺部が前記辺部分１５ａに沿って延在する二等辺三角形状に形成されている。
なお図示の例では、中皿１７は、複数（４つ）の中皿片１７ａにより構成されていて、中皿片１７ａには、前記収容空間Ｓ２が各別に１つずつ形成されている。
【００２５】
図２に示すように、蓋部１４は、蓋本体１８と、上蓋１９と、を備えている。蓋本体１８および上蓋１９はそれぞれ、収容部１３と同様に合成樹脂材料、磁石に磁着しない非磁性の材料で形成されている。
蓋本体１８は、容器軸Ｏ方向を向く板状の頂壁部２０と、頂壁部２０の外周縁部に配設された環状の側壁部２１と、を備えている。頂壁部２０および側壁部２１は、平面視矩形状に形成されている。
【００２６】
頂壁部２０は、前記底壁部１５に容器軸Ｏ方向に対向している。頂壁部２０の外周縁部は、側壁部２１の容器軸Ｏ方向の中央部に連結されている。側壁部２１内のうち、頂壁部２０よりも下側に位置する部分には、鏡体２２が配設され、頂壁部２０よりも上側に位置する部分内には、前記上蓋１９が嵌合されている。鏡体２２は、頂壁部２０の下面に接合されている。上蓋１９は、容器軸Ｏ方向を向く板状に形成され、前記頂壁部２０の上面に接合されている。
【００２７】
図１から図５に示すように、操作枠体１２は、容器本体１１のうちの収容部１３に、第１方向Ｄ１および第２方向Ｄ２の両方向に移動可能に外嵌されている。操作枠体１２は、第１方向Ｄ１および第２方向Ｄ２の両方向に延在する平面視矩形状に形成されていて、収容部１３の前記周溝１６ｂに遊嵌されている。
【００２８】
操作枠体１２は、３つ以上の第１磁石部２３と、周方向に隣り合う第１磁石部２３同士を連結する連結部２４と、を備えている。
第１磁石部２３は、第１方向Ｄ１に延在する図示しない一対の第１辺部と、第２方向Ｄ２に延在する図示しない一対の第２辺部と、により形成された矩形状における４つの角部分を構成するように、周方向に間隔をあけて４つ配設されている。４つの第１磁石部２３は、平面視において容器本体１１が呈する矩形状の角部分に各別に配設されていて、周方向に同等の間隔をあけて配置されている。
【００２９】
第１磁石部２３は、前記底壁部１５の角部分１５ｂ上に配設され、前記角空間Ｓ１内に位置している。第１磁石部２３は、例えば容器軸Ｏ方向に磁化された永久磁石により構成されていて、図示の例では平面視矩形状に形成されている。図３から図５に示すように、第１磁石部２３において上側（第２磁石部側）を向く表面には、配置凹部３１が設けられている。
【００３０】
配置凹部３１の壁面は、容器軸Ｏ方向および第１方向Ｄ１の両方向に沿う縦断面視、並びに容器軸Ｏ方向および第２方向Ｄ２の両方向に沿う縦断面視のいずれにおいても、下側に向けて凹となる凹曲面状に形成されている。配置凹部３１の壁面は、上側を向く底壁面３２と、底壁面３２の外周縁から立ち上がる周壁面３３と、を備えている。
【００３１】
周壁面３３は、底壁面３２の外周縁の全周にわたって連続して延設されている。周壁面３３は、第１外側壁面３３ａと、第２外側壁面３３ｂと、第１内側壁面３３ｃと、第２内側壁面３３ｄと、を備えている。第１外側壁面３３ａは、第１方向Ｄ１の内側を向き、第２外側壁面３３ｂは、第２方向Ｄ２の内側を向き、第１内側壁面３３ｃは、第１方向Ｄ１の外側を向き、第２内側壁面３３ｄは、第２方向Ｄ２の外側を向いている。
【００３２】
図５に示すように、第１外側壁面３３ａ、第２外側壁面３３ｂ、第１内側壁面３３ｃおよび第２内側壁面３３ｄはそれぞれ、下側に向けて凹となる凹曲面状に形成されている。第１内側壁面３３ｃの上端は、第１外側壁面３３ａの上端よりも下側に位置し、第２内側壁面３３ｄの上端は、第２外側壁面３３ｂの上端よりも下側に位置している。
【００３３】
図１に示すように、連結部２４は、第１方向Ｄ１または第２方向Ｄ２に直線状に延在している。連結部２４は、収容部１３と同様に合成樹脂材料、磁石に磁着しない非磁性の材料で形成されている。連結部２４には、径方向の外側に突出する操作片２４ａが設けられている。
【００３４】
ここで図３から図５に示すように、前記蓋部１４には、３つ以上の第２磁石部２５が、３つ以上の第１磁石部２３それぞれに容器軸Ｏ方向に対向するように周方向に間隔をあけて配設されている。第２磁石部２５は、蓋部１４から下側に向けて突出している。第２磁石部２５は、蓋部１４の外周縁部のうちの角部分に配設され、この角部分から前記角空間Ｓ１内に進入している。
【００３５】
第２磁石部２５は、突端部に向かうに従い漸次縮径する先細り形状に形成されている。第２磁石部２５において下側（第１磁石部側）を向く表面は、第１磁石部２３の表面、図示の例では配置凹部３１の壁面に当接している。第２磁石部２５の表面は、下側に向けて凸となる凸球面状に形成されている。
【００３６】
第２磁石部２５は、蓋本体１８に一体に形成された外郭部２７と、外郭部２７内に収容された本体部２８と、により構成されている。外郭部２７は、蓋本体１８における頂壁部２０と側壁部２１との連結部分から下側に向けて突出している。外郭部２７の突端部の表面は、下側に向けて凸となる凸球面状に形成されていて、この表面が、第２磁石部２５の表面を構成している。外郭部２７は、内部が上側に向けて開口する中空状に形成されている。本体部２８は、例えば容器軸Ｏ方向に磁化された永久磁石により構成されている。全ての本体部２８の下側の磁極は、Ｎ極（第１極）となっていて、第２磁石部２５の表面の磁極は、Ｎ極となっている。
【００３７】
そして図１および図５に示すように、第１磁石部２３の表面には、第２磁石部２５の表面と同極の同極部分２９と、第２磁石部２５の表面とは異極の異極部分３０と、が径方向に並んで配設されている。なお、このような第１磁石部２３は、例えば容器軸Ｏ方向に磁化された２つの永久磁石を、磁極の向きを互い違いにした状態で径方向に接合すること等により形成される。
【００３８】
同極部分２９は、第１磁石部２３の表面において、第１方向Ｄ１の外側および第２方向Ｄ２の外側に設けられている。同極部分２９は、平面視において、第１方向Ｄ１に延在する第１帯状域と第２方向Ｄ２に延在する第２帯状域とが連結されたＬ字状に形成され、全体として周方向に延在している。同極部分２９はＮ極となっていて、第２磁石部２５において表面とは反対側を向く裏面のうち、同極部分２９に対応する部分は、Ｓ極（第２極）となっている。
【００３９】
異極部分３０は、第１磁石部２３の表面において、同極部分２９によりも径方向の内側に設けられている。異極部分３０は、平面視において、第１磁石部２３と相似形状に形成されている。異極部分３０はＳ極となっていいて、第２磁石部２５の裏面のうち、異極部分３０に対応する部分は、Ｎ極となっている。
【００４０】
前記操作枠体１２は、蓋部１４を閉止姿勢に保持する図３に示すような保持位置と、その保持を解除する図６に示すような解除位置と、の間を径方向に移動させられる。保持位置に位置する操作枠体１２は、容器軸Ｏと同軸に配置され、解除位置に位置する操作枠体１２は、保持位置から径方向に、本実施形態では第１方向Ｄ１または第２方向Ｄ２に、周方向に隣り合う一対の第１磁石部２３側に向けて移動させられている。
【００４１】
図１から図４に示すように、操作枠体１２が保持位置に位置する状態では、コンパクト容器１０は、容器軸Ｏを基準として点対称に形成されている。また、第１磁石部２３および連結部２４は、容器本体１１の径方向の内側に位置していて、容器本体１１から径方向の外側に突出していない。さらに、配置凹部３１の底壁面３２は、第２磁石部２５の表面に当接し、第１外側壁面３３ａは、第２磁石部２５に第１方向Ｄ１の外側から対向し、第２外側壁面３３ｂは、第２磁石部２５に第２方向Ｄ２の外側から対向し、第１内側壁面３３ｃは、第２磁石部２５に第１方向Ｄ１の内側から対向し、第２内側壁面３３ｄは、第２磁石部２５に第２方向Ｄ２の内側から対向している。
【００４２】
そして保持位置に位置する操作枠体１２は、３つ以上の第１磁石部２３それぞれの異極部分３０を、第２磁石部２５に対向させる。これにより、操作枠体１２が保持位置に位置する状態では、全ての第１磁石部２３を第２磁石部２５に磁着させ、蓋部１４を閉止姿勢に安定して保持することができる。
【００４３】
前記コンパクト容器１０において、蓋部１４を開けて収容部１３を開放するため、操作枠体１２を保持位置から解除位置に移動させるときには、操作枠体１２を第１方向Ｄ１または第２方向Ｄ２に、周方向に隣り合う一対の第１磁石部２３側に向けて移動させる。このとき図６に示すように、３つ以上の第１磁石部２３のうち、第１方向Ｄ１または第２方向Ｄ２に沿った移動側に位置する両第１磁石部２３の異極部分３０が第２磁石部２５に対向し、これらの両第１磁石部２３以外の第１磁石部２３の同極部分２９が第２磁石部２５に対向する。
【００４４】
例えば、操作枠体１２を第１方向Ｄ１に移動させた場合には、第１方向Ｄ１のどちら側に移動させた場合であっても、第１方向Ｄ１に沿った移動側に位置する２つの第１磁石部２３上の各第２磁石部２５の表面が、配置凹部３１の第１内側壁面３３ｃに当接しながら、操作枠体１２が第１方向Ｄ１に移動することで、第２磁石部２５の上昇移動が第１内側壁面３３ｃにより案内されて第２磁石部２５が徐々に上昇する。またこのとき、第１方向Ｄ１に沿った反移動側に位置する２つの第１磁石部２３上の各第２磁石部２５の表面が、配置凹部３１の第１外側壁面３３ａに当接しながら、操作枠体１２が第１方向Ｄ１に移動することで、第２磁石部２５の上昇移動が第１外側壁面３３ａにより案内されて第２磁石部２５が徐々に上昇する。
【００４５】
そして、第１方向Ｄ１に沿った移動側に位置する２つの第１磁石部２３の異極部分３０が第２磁石部２５に対向し、第１方向Ｄ１に沿った反移動側に位置する２つの第１磁石部２３の同極部分２９が第２磁石部２５に対向する。その結果、移動側の両第１磁石部２３を第２磁石部２５に磁着させつつ、反移動側の両第１磁石部２３を第２磁石部２５に対して反発させることができる。
したがって図７に示すように、その後、蓋部１４のうち、第１方向Ｄ１の反移動側に位置する部分を上側に向けて移動させることで、蓋部１４を、第１方向Ｄ１の移動側の両第１磁石部２３を中心とし、第２方向Ｄ２に延在する回動軸回りに回動させ、収容部１３を開放することができる。
【００４６】
なおこのとき、移動側の両第１磁石部２３それぞれの同極部分２９が、操作枠体１２が保持位置に位置するときに比べて、第２磁石部２５から第１方向Ｄ１に大きく離間しており、第１磁石部２３と第２磁石部２５とが強く磁着されている。しかも、前述のように第２磁石部２５の表面が凸球面状に形成されているので、移動側に位置する各第２磁石部２５を、この第２磁石部２５の表面を第１磁石部２３の表面に当接させながら第１磁石部２３上で移動側に向けて倒れ込ませることで、蓋部１４を回動軸回りに円滑に回動させることができる。このとき、第２磁石部２５の表面が呈する凸球面状が、配置凹部３１の第１外側壁面３３ａが呈する凹曲面状に沿うように第２磁石部２５が倒れ込み、第２磁石部２５が第１外側壁面３３ａにより支持されて、蓋部１４を開放姿勢に安定して保持することができる。さらにこのとき、第２磁石部２５が第１内側壁面３３ｃに当接することで、第２磁石部２５が配置凹部３１から第１方向Ｄ１に抜け出るのを規制することができる。
【００４７】
一方、操作枠体１２を第２方向Ｄ２に移動させた場合には、第２方向Ｄ２のどちら側に移動させた場合であっても、第２方向Ｄ２に沿った移動側に位置する２つの第１磁石部２３上の各第２磁石部２５の表面が、配置凹部３１の第２内側壁面３３ｄに当接しながら、操作枠体１２が第２方向Ｄ２に移動することで、第２磁石部２５の上昇移動が第２内側壁面３３ｄにより案内されて第２磁石部２５が徐々に上昇する。またこのとき、第２方向Ｄ２に沿った反移動側に位置する２つの第１磁石部２３上の各第２磁石部２５の表面が、配置凹部３１の第２外側壁面３３ｂに当接しながら、操作枠体１２が第２方向Ｄ２に移動することで、第２磁石部２５の上昇移動が第２外側壁面３３ｂにより案内されて第２磁石部２５が徐々に上昇する。
【００４８】
そして、第２方向Ｄ２に沿った移動側に位置する２つの第１磁石部２３の異極部分３０が第２磁石部２５に対向し、第２方向Ｄ２に沿った反移動側に位置する２つの第１磁石部２３の同極部分２９が第２磁石部２５に対向する。その結果、移動側の両第１磁石部２３を第２磁石部２５に磁着させつつ、反移動側の両第１磁石部２３を第２磁石部２５に対して反発させることができる。
したがってその後、蓋部１４のうち、第２方向Ｄ２の反移動側に位置する部分を上側に向けて移動させることで、蓋部１４を、第２方向Ｄ２の移動側の両第１磁石部２３を中心とし、第１方向Ｄ１に延在する回動軸回りに回動させ、収容部１３を開放することができる。
【００４９】
なおこのとき、移動側の両第１磁石部２３それぞれの同極部分２９が、操作枠体１２が保持位置に位置するときに比べて、第２磁石部２５から第２方向Ｄ２に大きく離間しており、第１磁石部２３と第２磁石部２５とが強く磁着されている。しかも、前述のように第２磁石部２５の表面が凸球面状に形成されているので、移動側に位置する各第２磁石部２５を、この第２磁石部２５の表面を第１磁石部２３の表面に当接させながら第１磁石部２３上で移動側に向けて倒れ込ませることで、蓋部１４を回動軸回りに円滑に回動させることができる。このとき、第２磁石部２５の表面が呈する凸球面状が、配置凹部３１の第２外側壁面３３ｂが呈する凹曲面状に沿うように第２磁石部２５が倒れ込み、第２磁石部２５が配置凹部３１の第２外側壁面３３ｂにより支持されて、蓋部１４を開放姿勢に安定して保持することができる。さらにこのとき、第２磁石部２５が第２内側壁面３３ｄに当接することで、第２磁石部２５が配置凹部３１から第２方向Ｄ２に抜け出るのを規制することができる。
【００５０】
以上説明したように、本実施形態に係るコンパクト容器１０によれば、蓋部１４の回動の中心となる一対の第１磁石部２３を適宜選択し、これらの両第１磁石部２３側に向けて操作枠体１２を保持位置から解除位置に移動させることで、蓋部１４を多様な方向に開閉することが可能になり、操作性を向上させることができる。
【００５１】
また操作枠体１２を、容器本体１１に、第１方向Ｄ１および第２方向Ｄ２の両方向に移動可能に外嵌することで、蓋部１４を、単に第１方向Ｄ１の片側や第２方向Ｄ２の片側のみから開閉可能にするのではなく、第１方向Ｄ１の両側および第２方向Ｄ２の両側から開閉可能にすることができるので、蓋部１４を多様な方向に開閉させつつ、このコンパクト容器１０の構造が複雑になるのを抑えることができる。
【００５２】
また第２磁石部２５の表面が、下側に向けて凸となる凸球面状に形成されていることで、蓋部１４を第１方向Ｄ１および第２方向Ｄ２のいずれの方向から開けるときにも、蓋部１４を回動軸回りに円滑に回動させることが可能になり、操作性をより向上させることができる。
【００５３】
さらに第１外側壁面３３ａおよび第２外側壁面３３ｂがそれぞれ、下側に向けて凹となる凹曲面状に形成されていることで、蓋部１４を第１方向Ｄ１および第２方向Ｄ２のいずれの方向から開けるときにも、蓋部１４を開放姿勢に安定して保持することが可能になり、操作性をより一層向上させることができる。
【００５４】
そして配置凹部３１の壁面に、第１内側壁面３３ｃおよび第２内側壁面３３ｄが備えられているので、蓋部１４を第１方向Ｄ１および第２方向Ｄ２のうちのいずれの方向から開ける場合であっても、第２磁石部２５が配置凹部３１から第１方向Ｄ１の内側に抜け出ることを第１内側壁面３３ｃにより規制するとともに、第２磁石部２５が配置凹部３１から第２方向Ｄ２の内側に抜け出ることを第２内側壁面３３ｄにより規制することができる。したがって、例えば、蓋部１４を開けるために第２磁石部２５を倒れ込ませるときに、第２磁石部２５が配置凹部３１から抜け出ることを規制して、この第２磁石部２５を配置凹部３１内に留めておくことが可能になり、蓋部１４を回動軸回りに円滑に回動させること等ができる。
【００５５】
なお、本発明の技術的範囲は前記実施形態に限定されるものではなく、本発明の趣旨を逸脱しない範囲において種々の変更を加えることが可能である。
例えば鏡体２２、操作片２４ａおよび外郭部２７はなくてもよい。
【００５６】
また前記実施形態では、中皿１７は、４つの中皿片１７ａにより構成されているものとしたが、これに限られない。例えば、一体に形成された中皿に、４つの収容空間が形成されていてもよい。また収容空間Ｓ２も、４つに限られず、３つ以下や５つ以上形成されていてもよい。さらに中皿１７はなくてもよい。
【００５７】
また前記実施形態では、配置凹部３１の壁面には、第１内側壁面３３ｃと第２内側壁面３３ｄとが備えらえているものとしたが、これらはなくてもよい。つまり配置凹部が、第１方向の内側および第２方向の内側にそれぞれ開口していてもよい。さらに配置凹部３１はなくてもよい。
【００５８】
また、操作枠体１２と収容部１３との間に付勢部材を配設し、解除位置に移動させられた操作枠体１２を、この付勢部材によって保持位置に向けて付勢してもよい。この場合、蓋部を開けるときに、例えば、操作枠体を保持位置から解除位置に移動させ、蓋部を回動軸回りに開放姿勢に向けて回動させるまでは、操作枠体が解除位置に位置するようにこの操作枠体を支持しておき、その後、この支持を解除すること等により、前記付勢部材の付勢力によって操作枠体を解除位置から保持位置に向けて復元移動させることができる。したがってその後、開放姿勢の蓋部を回動軸回りに下側に向けて回動させ、全ての第１磁石部と第２磁石部とを互いに当接させるという簡便な作業で、各第１磁石部の異極部分を第２磁石部に対向させ、蓋部を閉止姿勢に保持することが可能になり、操作性を一層向上させることができる。なお前記付勢部材は、例えば樹脂ばね、金属ばね（コイルスプリング等）、ゴム製部材、エラストマー樹脂製部材などにより構成することが可能であるとともに、例えば容器本体や操作枠体などと一体に成形することも可能である。
【００５９】
また前記実施形態では、操作枠体１２が、容器本体１１のうちの収容部１３に外嵌され、第２磁石部２５が、蓋部１４に配設されているものとしたが、これに限られない。例えば操作枠体が、蓋部に外嵌され、第２磁石部が、収容部に配設されていてもよい。
【００６０】
また前記実施形態では、第１磁石部２３は、一対の第１辺部および一対の第２辺部により形成された矩形状における４つの角部分を構成するように、周方向に間隔をあけて４つ配設されているものとしたが、これに限られない。例えば、周方向に間隔をあけて３つ配置され、平面視において三角形状の３つの角部分を構成するように配置されていたり、周方向に間隔をあけて５つ配置され、平面視において五角形状の５つの角部分を構成するように配置されていたりしてもよい。さらに例えば、平面視において角型形状の角部分を構成するように、周方向に間隔をあけて３つ以上配設されていてもよい。
【００６１】
また前記実施形態では、容器本体１１は、平面視角型形状に形成されていているものとしたが、これに限られない。例えば容器本体が、平面視円形状に形成されていてもよい。
【００６２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６３】
１０  コンパクト容器
１１  容器本体
１２  操作枠体
１３  収容部
１４  蓋部
２３  第１磁石部
２５  第２磁石部
２９  同極部分
３０  異極部分
３３ａ  第１外側壁面
３３ｂ  第２外側壁面
３３ｃ  第１内側壁面
３３ｄ  第２内側壁面
Ｄ１  第１方向
Ｄ２  第２方向
Ｏ  容器軸
【図１】
2014212883.tif 000003
【図２】
2014212883.tif 000004
【図３】
2014212883.tif 000005
【図４】
2014212883.tif 000006
【図５】
2014212883.tif 000007
【図６】
2014212883.tif 000008
【図７】
2014212883.tif 000009